(57)【要約】【課題】つけまつ毛の形状を製造時の理想的で美しいカーブ形状のまま長い時間保持しておくことができるつけまつ毛専用の収容保管ケースを提供する。【解決手段】弧状突起形状の保持台１２には、上面部２６と段差部２８が被接着部３０を連結して保持台１２と一体に形成されている。この段差部２８は、上面部２６よりも一段低い構成となっている。段差部２８の上面２９の幅Ｗ（被接着部３０側から被接着部３０と反対側までの幅）は、最小でも１ｍｍ以上とし、最大でも段差部２８に保持されるつけまつ毛２０のまつ毛部２４の長さよりも１ｍｍ以上狭い構成とする。例えば、３ｍｍ〜６ｍｍとすることが特に好ましい。【選択図】図２
0003157680.tif 000002
【実用新案登録請求の範囲】
【請求項１】
まつ毛部と接着部とから成るつけまつ毛を保持台に接着させるためのつけまつ毛用ケースにおいて、前記保持台が、上面部と、その上面部より一段低い高さの段差部と、前記つけまつ毛の前記接着部を接着させるためのものであって前記段差部より高い位置に配置される被接着部とを有し、前記段差部の上面は前記つけまつ毛の一部が当接可能であって前記段差部における前記被接着部側から前記被接着部と反対側までの幅が前記つけまつ毛の前記まつ毛部の長さよりも狭いことを特徴とするつけまつ毛用ケース。
【請求項２】
前記上面部と前記段差部とを一体に形成することを特徴とする請求項１に記載のつけまつ毛用ケース。
【請求項３】
前記段差部と前記被接着部とを前記上面部を中心としてその両側に形成することを特徴とする請求項１又は２に記載のつけまつ毛用ケース。
【請求項４】
前記段差部の前記幅が１ｍｍ以上であることを特徴とする請求項１乃至３のいずれかに記載のつけまつ毛用ケース。
【請求項５】
前記段差部の前記幅が前記つけまつ毛の前記まつ毛部の長さよりも１ｍｍ以上狭いことを特徴とする請求項１乃至４のいずれかに記載のつけまつ毛用ケース。
【考案の詳細な説明】
【技術分野】
【０００１】
本考案は、つけまつ毛を収容保管するためのつけまつ毛用ケースに関するものである。
【背景技術】
【０００２】
つけまつ毛は、主に女性が目の輪郭を美しく見せ、目元を引立たせるために、まぶたに装着して使用する美容器具である。つけまつ毛は、比較的簡単に自分で取り付け・取り外しできるため、マスカラ等では作れない華やかでボリュームのあるまつ毛を簡単に演出することができるものとして、目元を印象的に見せたい特別な日だけでなく、最近では普段のメイクの一部としても広く普及してきている。
【０００３】
つけまつ毛は、一般的に、ＰＥＴ樹脂等の合成樹脂から成る専用のケース（容器）に接着剤と共に同封されて流通し、需要者・消費者の手元に渡る。また、繰り返し使用することが可能なので、使用しないときは一旦使用したつけまつ毛をその専用のケースに元通りに入れて保管しておく需要者や消費者も多い。
【０００４】
つけまつ毛という商品の形態や性質上、このつけまつ毛を収容保管する専用のケースも、外形形状はともかく、つけまつ毛を保持する部分においては特異な構造や形状のものは殆ど存在せず、基本的な構造は画一化されている。
ここで、従来から一般的に流通しているつけまつ毛専用のケースの構成を図５及び図６に例示する。図５は従来のつけまつ毛用ケース１１０全体の平面図であり、図６は従来のつけまつ毛用ケース１１０のＢ−Ｂ断面図である。なお、説明の便宜上、図５、図６共につけまつ毛及び接着剤をセットした状態とする。
つけまつ毛用ケース１１０は、弧状突起形状の保持台１１２（二箇所）と略四角形状の溝１１６とが形成されたケース本体１１８と、そのケース本体１１８に嵌合する透明な蓋体（図示略）とから構成される。二箇所の保持台１１２にはそれぞれ一個ずつのつけまつ毛１２０が貼り付けられており、全体として合計二個（一組）のつけまつ毛１２０が保持されると共に、溝１１６には接着剤チューブ１１４が収容される。つけまつ毛用ケース１１０は、このケース本体１１８を蓋体によって閉鎖した後、製造社名や商品名等がデザインされた台紙（図示略）と共にパッケージングされる。なお、つけまつ毛は何回か使用した後も繰り返し使用することができるため、保持台１１２にその使用後のつけまつ毛１２０を貼り付け、このつけまつ毛ケース１１０によって保管しておくこともできる。
【０００５】
上記のような一般的なつけまつ毛用ケース１１０の他には、例えば、つけまつ毛が常に新鮮さを維持するように改良を施した包装ケース（特許文献１）や、複数のつけまつ毛をコンパクトに収納、保管できるように改良を施したつけまつ毛ケース（特許文献２）等が開示されている。
【先行技術文献】
【特許文献】
【０００６】
【特許文献１】特開２００８−２９６００４号公報
【特許文献２】登録実用新案第３０４３８４８号公報
【考案の概要】
【考案が解決しようとする課題】
【０００７】
綺麗な目元を演出するためには、つけまつ毛は常に理想的で美しいカーブ形状をｍｍ単位においてまで正確に保っておく必要がある。しかしながら、通常、つけまつ毛は化学繊維等から成る細くて軟らかい人工毛であるため、製造時における理想の形状を保持したまま、長い時間、収容保管しておくことは非常に困難である。例えば、図５〜６に示す従来のつけまつ毛用ケース１１０や特許文献１〜２に示すケースでは、いずれにおいても、流通過程における輸送時や陳列時、また、使用後の保管時等に、時間の経過と共に、つけまつ毛の先端がその自重によって垂れて変形してしまい、理想の美しい形状を長く保持しておくことができない。特に、上瞼用つけまつ毛の場合は上方にカールしているので毛先以外の部分をケースの底に当てて保持しておくこともできるが、図６に示す通り、下瞼用つけまつ毛の場合は下方にカールしているのでつけまつ毛全体を保持台に１１２に浮かせて貼り付けておく必要があり、つけまつ毛の先端がその自重によって垂れて変形し易いという問題がある。
【０００８】
そこで、本考案は、上記の点に鑑みて為されたものであり、つけまつ毛の形状を製造時の理想的で美しいカーブ形状のまま長い時間保持しておくことができる「つけまつ毛専用の収容保管ケース」を提供することを目的とする。
【課題を解決するための手段】
【０００９】
本考案に係るつけまつ毛用ケースは、まつ毛部と接着部とから成るつけまつ毛を保持台に接着させるためのつけまつ毛用ケースにおいて、前記保持台が、上面部と、前記上面部より一段低い高さの段差部と、前記つけまつ毛の前記接着部を接着させるためのものであって前記段差部より高い位置に配置される被接着部とを有し、前記段差部の上面は前記つけまつ毛の一部が当接可能であって前記段差部における前記被接着部側から前記被接着部と反対側までの幅が前記つけまつ毛の前記まつ毛部の長さよりも狭いことを特徴とする。
また、本考案に係るつけまつ毛用ケースは、前記上面部と前記段差部とを一体に形成することを特徴とする。
また、本考案に係るつけまつ毛用ケースは、また、前記段差部と前記被接着部とを前記上面部を中心としてその両側に形成することを特徴とする。
さらに、本考案に係るつけまつ毛用ケースは、前記段差部の前記幅が１ｍｍ以上であること、前記段差部の前記幅が前記つけまつ毛の前記まつ毛部の長さよりも１ｍｍ以上狭いことを特徴とする。
【考案の効果】
【００１０】
本考案のつけまつ毛用ケースは、つけまつ毛を接着して保持する保持台の被接着部側にその保持台よりも一段低い段差部を設けたため、つけまつ毛の収容保管時に、つけまつ毛の一部分がその段差部によって支えられ、つけまつ毛の先端がその自重により垂れて変形することもなく、製造時の理想的で美しい形状を長い時間保持し続けることができる。特に、下方にカールしている下瞼用つけまつ毛を保持する場合、従来ではつけまつ毛全体を浮かせて保持台に貼り付けておく必要があったが、本考案ではその段差部によってつけまつ毛の一部分が支えられるため、本考案は下瞼用つけまつ毛の収容保管ケースとして非常に効果的である。
また、請求項２の考案では、保持台の上面部と段差部とを一体としたため、その接合箇所付近（角部分）をつけまつ毛を貼り付ける場所の目安にすることができるので、簡単につけまつ毛を保持台の同じ位置や高さに真っ直ぐ貼り付けることができる。このように、つけまつ毛を常に一定の位置に貼り付けて保管することにより、本考案の主目的である形状保持効果もより期待できる。なお、一体成形とすれば、製造が容易になるうえ、コスト削減にもつながるという効果もある。
また、請求項３の考案では、保持台の上面部を中心としてその前後両側に被接着部と段差部を設けたため、保持台の前後両側につけまつ毛を効率的に保持することができる。
さらに、請求項４〜５の考案のように、被接着部側から被接着部と反対側までの幅をより限定することにより、形状保持効果がさらに向上する。
【図面の簡単な説明】
【００１１】
【図１】本考案に係るつけまつ毛用ケース全体の平面図である。
【図２】本考案に係るつけまつ毛用ケースの主要部のＡ−Ａ部分断面図である。
【図３】本考案に係るつけまつ毛用ケースの他の実施形態における主要部の部分断面図である。
【図４】本考案に係るつけまつ毛用ケースの他の実施形態における主要部の部分断面図である。
【図５】従来のつけまつ毛用ケース全体の平面図である。
【図６】従来のつけまつ毛用ケースのＢ−Ｂ断面図である。
【考案を実施するための形態】
【００１２】
次に、本考案を図面に基づいて説明する。図１は本考案に係るつけまつ毛用ケース全体の平面図、図２は本考案に係るつけまつ毛用ケースの主要部のＡ−Ａ部分断面図である。なお、説明の便宜上、図１、図２共につけまつ毛（一組）及び接着剤をセットした状態とする。
【００１３】
本実施例におけるつけまつ毛用ケース１０は、弧状突起形状の保持台１２（四箇所）と接着剤チューブ１４を入れるための溝１６（一箇所）とが形成されたケース本体１８と、そのケース本体１８に嵌合する透明な蓋体（図示略）とから構成される。そのつけまつ毛用ケース１０に、接着部２２とまつ毛部２４とから構成されるつけまつ毛２０が、保持台１２に取付けた状態で収容保管される。
なお、本実施例では保持台１２を四箇所（二組）設けたが、二箇所（一組）でも良いし、それ以上でも良い。
【００１４】
保持台１２は、ケース本体１８から上方に突出するように形成されるもので、相対的に高い水平な円弧平面状の上面部２６と、上面部２６よりも相対的に高さが一段低い水平な円弧平面状の段差部２８と、上面部２６と段差部２８との間を連絡する連結部としての被接着部３０とを有する。被接着部３０は、そこにつけまつ毛２０の接着部２２を接着させるためのものであり、段差部２８より高い位置で上面部２６よりも低い位置にあり、段差部２８に対してほぼ垂直な状態に設定されている。上面部２６も段差部２８も、ケース本体１８の床面１８ａに対して平行（水平）に形成されるのが望ましいが、必ずしも床面１８ａに平行でなくても良い。
【００１５】
また、保持台１２は、上面部２６の後方に位置するものであって上面部２６とケース本体１８の床面１８ａとを連結する後部立上がり部３２と、段差部２８の前方に位置するものであって段差部２８とケース本体１８の床面１８ａとを連結する前部立上がり部３４とを有する。後部立上がり部３２は、上面部２６側から床面１８ａ側に向かうにつれて後方に位置するような、金型の抜きテーパ形状に対応する勾配が付いた形状になっている。前部立上がり部３４も、段差部２８から床面１８ａ側に向かうにつれて前方に位置するような、金型の抜きテーパ形状に対応する勾配が付いた形状になっている。これら後部立上がり部３２や前部立上がり部３４の形状は、成形後に金型からの取り出しを容易にするためのものである。
【００１６】
段差部２８の上面２９の幅Ｗ（被接着部３０側から前部立上がり部３４側（被接着部３０と反対側）までの幅）は、最小でも１ｍｍ以上とし、最大でも保持台１２に保持されるつけまつ毛２０のまつ毛部２４の長さよりも１ｍｍ以上狭い構成とする。この段差部２８の幅Ｗは、保持するつけまつ毛２０の種類や形状、まつ毛部２４の長さ等に応じて最適な幅Ｗを設定する必要があるが、例えば、３ｍｍ〜６ｍｍとすることが特に好ましい。その程度の幅Ｗであれば、まつ毛部２４の先端が垂れ下がることを好適に防止しつつ、まつ毛部２４の美しいカーブ形状を長時間保持することに最も効果的である。
【００１７】
また、上面部２６と段差部２８との高さの比率（即ち、被接着部３０の高さ）は、保持されるつけまつ毛２０の形状等に応じて種々設定可能であり、段差部２８の上面につけまつ毛２０のまつ毛部２４の一部が当接し、まつ毛部２４の先端が垂れ下がることを防止できる高さであれば良い。
【００１８】
本実施例のつけまつ毛用ケース１０においては、つけまつ毛２０は、その接着部２２に塗布されている接着剤によって、保持台１２の被接着部３０に接着される。図１では、二個（一組）のつけまつ毛２０のみ保持した状態を図示しているが、本実施例では全体として合計四個（二組）が保持される。このとき、被接着部３０における段差部２８の境界位置付近（境目となる角部分）より上をつけまつ毛２０を貼り付ける場所の目安にすることができるので、つけまつ毛２０を保持台１２の同じ位置や高さに真っ直ぐ簡単に貼り付けることができる。このように、つけまつ毛２０を常に一定の位置に貼り付けて保管することが容易に可能となれば、利便性を向上させることができる。特に、被接着部３０につけまつ毛２０を取付ける操作は、製造者が製品として完成させる場合と、使用者が使用後のつけまつ毛２０を再度つけまつ毛用ケース１０に収容する場合とがあるが、どちらの場合においても、保持台１２（被接着部３０）へのつけまつ毛２０の取付け位置が明確となり、取付け作業や取付け操作が簡単である。また、つけまつ毛２０のまつ毛部２４の一部を段差部２８の上面２９に載せて支えることによって、まつ毛部２４の先端の垂れ下がりを防止し、まつ毛部２４の所定の形状を保持するわけだが、その点においても、まつ毛部２４と段差部２８（上面２９）との当接箇所が毎回一定となるため、まつ毛部２４の美しいカーブ形状を長時間保持することに非常に効果的である。
【００１９】
本実施例では、図２に示した通り、取り付けるつけまつ毛２０を下方にカールしている下瞼用つけまつ毛としたが、これは上方にカールしている上瞼用つけまつ毛であっても構わない。ただし、従来のつけまつ毛用ケース１１０では、上述したように、下瞼用つけまつ毛の方が上瞼用つけまつ毛よりも先端が垂れて変形し易かったので、本実施例におけるつけまつ毛ケース１０は、下瞼用つけまつ毛に適用したときの方がその効果が顕著に顕れる。
【００２０】
また、本実施例では保持台１２において、上面部２６と段差部２８とを一体として形成しているが、図３の他の実施形態における主要部の部分断面図に示すように、保持台１２を上面部２６と段差部２８とに分離して形成しても構わない。この場合、上面部２６は後部立上がり部３２と前部立上がり部３６で支持し、段差部２８は、後部立上がり部３８と前部立上がり部３４とで支持する。この際、上面部２６の前部立上がり部３６は、つけまつ毛２０の接着部２２を接着させるための被接着部３０に相当する。
【００２１】
さらにまた、図４の他の実施形態における主要部の部分断面図に示すように、保持台１２の前後両側に被接着面３０を有し、つけまつ毛２０を保持台１２の前後両側に取り付けることができる構成とし、保持台１２の上面部２６を中心としてその前後両側に段差部２８を形成しても良い。この場合、保持台１２の前方は第一実施例と同様であるが、後方は後部立上がり部３２に代えて、被接着部３０、段差部２８、前部立ち上がり部３４を経て床面１８ａと連結される。即ち、保持台１２の上面２６は前後両側から被接着部３０及び前部立上がり部３４によって支持されることになる。この構成であれば、保持台１２の前後両側につけまつ毛２０を取り付けることができるので、多数のつけまつ毛２０を効率的に収容保管することができる。
【産業上の利用可能性】
【００２２】
本考案のつけまつ毛用ケースを利用すれば、つけまつ毛（特に下瞼用つけまつ毛）の収容保管時に、つけまつ毛の先端が垂れて変形してしまうこともなく、理想的で美しい形状を長時間保持することが可能となるため、つけまつ毛の製造、流通、保管等あらゆる面において貢献することができ、つけまつ毛のさらなる普及に寄与することができる。
【符号の説明】
【００２３】
１０  つけまつ毛用ケース
１２  保持台
１８  ケース本体
２０  つけまつ毛
２２  接着部
２４  まつ毛部
２６  上面部
２８  段差部
２９  上面
３０  被接着部
【図１】
0003157680.tif 000003
【図２】
0003157680.tif 000004
【図３】
0003157680.tif 000005
【図４】
0003157680.tif 000006
【図５】
0003157680.tif 000007
【図６】
0003157680.tif 000008